(57)【要約】      （修正有）【課題】画像情報の送信者または受信者が不特定の場所に居る場合であっても、画像情報の送受信およびその可視像化を容易かつ迅速に行うことができる目的地案内システムを提供する。【解決手段】特定対象に関する情報を表示する端末装置と、一台以上の前記端末装置の端末情報を記憶する端末情報記憶手段と、端末装置の現在位置を検知する位置検知手段と、前記位置検知手段により検知した位置から、最寄りの特定対象を検出する最寄り検出手段と、から構成され、前記端末情報記憶手段に端末情報が保持されている端末装置の中から、使用者が指定した端末装置に対して、前記位置検知手段および前記最寄り検出手段とを用いて検出した特定対象に関する情報を発信する情報発信手段を備えることを特徴とする。【選択図】        図６
2004354324.tif 000002
【特許請求の範囲】
【請求項１】
特定対象に関する情報を表示する端末装置と、
一台以上の前記端末装置の端末情報を記憶する端末情報記憶手段と、
端末装置の現在位置を検知する位置検知手段と、
前記位置検知手段により検知した位置から、最寄りの特定対象を検出する最寄り検出手段と、
から構成され、
前記端末情報記憶手段に端末情報が保持されている端末装置の中から、使用者が指定した端末装置に対して、前記位置検知手段および前記最寄り検出手段とを用いて検出した特定対象に関する情報を発信する情報発信手段を備えることを特徴とする目的地案内システム。
【請求項２】
特に、前記端末装置が携帯端末であることを特徴とする請求項１記載の目的地案内システム。
【請求項３】
特に、前記端末装置が携帯電話であることを特徴とする請求項１記載の目的地案内システム。
【請求項４】
特に、前記情報発信手段が、電子メールを用いて当該端末装置に対して情報を発信することを特徴とする請求項２又は３記載の目的地案内システム。
【請求項５】
特に、前記情報発信手段が、自動音声を用いて当該端末装置に対して情報を発信することを特徴とする請求項２又は３記載の目的地案内システム。
【請求項６】
特に、前記位置検知手段が、衛星から電波を受信して緯度、経度、高度などの位置情報を検出するＧＰＳ（Ｇｌｏｂａｌ  Ｐｏｓｉｔｉｏｎｉｎｇ  Ｓｙｓｔｅｍ）を使用することを特徴とする請求項２又は請求項３記載の目的地案内システム。
【請求項７】
特に、前記位置検知手段が、ＰＨＳ（Ｐｅｒｓｏｎａｌ  Ｈａｎｄｙ−ｐｈｏｎｅ  Ｓｙｓｔｅｍ）を使用することを特徴とする請求項２又は請求項３記載の目的地案内システム。
【請求項８】
特に、前記端末装置が、特定対象の位置を地図表示する地図表示機能を有することを特徴とする請求項１記載の目的地案内システム。
【請求項９】
特に、前記地図表示機能が、情報配信サービス等を利用して獲得した地図を表示することを特徴とする請求項８記載の目的地案内システム。
【請求項１０】
特に、前記位置検知手段が、特定対象の移動量を検出する移動量検出機能を有し、前記最寄り検出手段が、前記移動量に基づいた最寄り位置を検出することを特徴とする請求項１記載の目的地案内システム。
【請求項１１】
特に、前記特定対象が、画像形成装置設置場所であることを特徴とする請求項１〜１０のいずれかに記載の目的地案内システム。
【請求項１２】
特に、使用者が画像形成出力する際に、画像形成ジョブを、前記最寄り検出手段を用いて検出された画像形成装置に対して送信することを特徴とする請求項１１記載の目的地案内システム。
【請求項１３】
特に、前記最寄り検出手段が、前記画像形成ジョブの要求解像度や要求速度等の要求情報に応じて、画像形成装置設置場所を自動選択することを特徴とする請求項１２記載の目的地案内システム。
【請求項１４】
特に、前記端末装置が、画像形成出力する情報の内容も表示することが可能なことを特徴とする請求項１１記載の目的地案内システム。
【請求項１５】
使用者が画像形成出力する際に、画像形成ジョブを特定のサーバに対して送信するジョブ送信手段と、
を有し、
前記最寄り検出手段を用いて検出された画像形成装置で画像形成する際に、前記サーバから画像形成ジョブを受信することを特徴とする請求項１１記載の目的地案内システム。
【請求項１６】
使用者が選択した端末装置の端末情報を、前記最寄り検出手段を用いて検出された画像形成装置に対して送信する機能と、
を有し、
画像形成する際に、前記端末情報を認証の鍵として用いることを特徴とする請求項１１記載の目的地案内システム。
【発明の詳細な説明】
【０００１】
【発明の属する技術分野】
本発明は、例えば、プリンタ等を持たない遠隔のユーザに対して書類を送るようなケースに関して、ユーザが携帯している端末からユーザの現在位置を検知し、最寄りのプリンタサービススポット等を自動検出して、プリント出力できる場所をユーザに明示する目的地案内システムに関する。
【０００２】
【従来の技術】
従来、画像データを他の装置に送信する機能を備えたディジタル画像形成装置が知られている。このディジタル画像形成装置は、スキャナにて読取った原稿の画像データを画像形成部によりプリントアウトするコピーモードと、通信装置および通信回線により上記画像データを他の装置に送信するファクシミリモードとを備えたディジタル複合複写装置となっている。
【０００３】
上記ディジタル複合複写装置は、上記コピーモードとファクシミリモードを自動切換えできるものであり、このような構成により、効率良く原稿の画像情報をコピーしあるいはファックスすることができる。また、ファクシミリ機能により受信した画像データを画像形成部から出力可能である。（例えば、特許文献１参照）
【０００４】
【特許文献１】
特開平８−７６５２６号公報
【０００５】
【発明が解決しようとする課題】
上記ディジタル画像形成装置のファクシミリ機能、あるいは一般のファクシミリ装置を使用した場合には、特定の相手先に対して画像情報を伝えることが可能である。しかしながら、この場合には、送信する相手が、常時特定の場所に居る場合に限られる。即ち、仕事で多数の取引先を訪問するために移動するビジネスマン等、居場所が不特定の送信相手には、画像情報を迅速に伝えることができない。一方、携帯用の通信端末として広く普及している携帯電話を使用した場合、この携帯電話の携帯者に対しては、その携帯者が不特定の場所に居る場合であっても、通話により必要な情報を伝えることができる。しかしながら、この場合には、上記画像情報を伝えることができない。
【０００６】
これとは逆に、ビジネスマンが出先において至急に所定の相手先へ送信すべき原稿を入手した場合、携帯用のファクシミリ装置でも携帯していない限り、その原稿を迅速に送信することはできない。また、上記のようなファクシミリ装置は、重量および大きさの点から実際上携帯には不向きである。また、例えば出先においてファクシミリ装置を借用した場合、その通信料金は通信の距離、時間、時間帯およびサービス会社等によってまちまちであり、その精算が面倒であるといった問題も生じるため、安易にこの方法を利用することもできない。
【０００７】
本発明は、上記の点に鑑みてなされたものであり、画像情報の送信者または受信者が不特定の場所に居る場合であっても、画像情報の送受信およびその可視像化を容易かつ迅速に行うことができる案内システムの提供を目的としている。
【０００８】
【課題を解決するための手段】
上記目的を達成するための本発明に係る代表的な構成は、（請求項１）特定対象に関する情報を表示する端末装置と、一台以上の前記端末装置の端末情報を記憶する端末情報記憶手段と、端末装置の現在位置を検知する位置検知手段と、前記位置検知手段により検知した位置から、最寄りの特定対象を検出する最寄り検出手段と、から構成され、前記端末情報記憶手段に端末情報が保持されている端末装置の中から、使用者が指定した端末装置に対して、前記位置検知手段および前記最寄り検出手段とを用いて検出した特定対象に関する情報を発信する情報発信手段を備えることを特徴とするものである。
【０００９】
（作用）
請求項１の目的地案内システムによれば、送信者が、不特定の場所に居る受信者に対して送信したい物がある場合、端末装置を持つ受信者の位置を位置検知手段が検知し、検知した位置から最寄りの、送信物受信可能位置を検出することが可能となり、受信者は、送信者からの送信物を、不特定の場所に居ながら受信することが可能となる。
【００１０】
【発明の実施の形態】
（実施例）
（画像形成装置の全体の構成）
図１〜８は、本発明の一実施例である目的地案内システムの構成を表す図面である。それらに基づき基本的な構成を説明する。
【００１１】
図１に、本発明において、画像形成ジョブを出力するディジタル画像形成装置全体の概略構成の一例を示す。
【００１２】
まず、カラーリーダー部１の構成について説明する。１０１は原稿台ガラス（プラテン）、１０２は自動原稿給紙装置（ＡＤＦ）である。なお、この自動原稿給紙装置１０２の代わりに、鏡面圧板もしくは白色圧板（図示せず）を装着する構成でもよい。１０３及び１０４は原稿を照明する光源であり、ハロゲンランプ、蛍光灯、キセノン管ランプなどの類の光源を使用する。１０５及び１０６は光源１０３及び１０４の光を原稿に集光する反射傘である。１０７〜１０９はミラー、１１０は原稿からの反射光または投影光をＣＣＤ（電荷結合素子）イメージセンサ（以下、ＣＣＤということにする）１１１上に集光するレンズである。１１２はＣＣＤ１１１が実装されている基板、１００は画像形成装置全体を制御する制御部、１１３は図４の画像処理部の１１１を除いた部分及び図３の４０１・４０２の部分を含むプリンタ処理部（リーダースキャナ制御部）である。１１４は、光源１０３及び１０４と反射傘１０５及び１０６と、ミラー１０７を収容するキャリッジである。１１５は、ミラー１０８及び１０９を収容するキャリッジである。なお、キャリッジ１１４は速度Ｖで、キャリッジ１１５は速度Ｖ／２で、ＣＣＤ１１１の電気的走査方向（主走査方向Ｘ）に対して直交する副走査方向Ｙに機械的に移動することによって、原稿の全面を走査する。１１６は他のデバイスや通信回線との外部インターフェイス（Ｉ／Ｆ）である。
【００１３】
また、制御部１００は、図２に示すようにディジタル画像処理部１１３とプリンタ制御Ｉ／Ｆ２１８に対してそれぞれ制御を行うための情報をやり取りするＩ／Ｆを有するＣＰＵ３０１と操作部３０３、メモリ３０２によって構成されている。操作部３０３は操作者による処理実行内容の入力や操作者に対する処理に関する情報及び警告等の通知のためのタッチパネル付き液晶により構成される。
【００１４】
次に、ディジタル画像処理部１１３の詳細な説明を行う。図４はディジタル画像処理部１１３の詳細な構成を示すブロック図である。
【００１５】
原稿台ガラス上の原稿は高原１０３・１０４からの光を反射し、その反射光はＣＣＤ１１１に導かれて電気信号に変換される（ＣＣＤ１１１がカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）は画像処理部１１３に入力され、クランプ＆Ａｍｐ＆Ｓ／Ｈ＆Ａ／Ｄ部５０２でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部５０３で、シェーディング補正及び黒補正が施された後、つなぎ＆ＭＴＦ補正＆原稿検知部５０４で、ＣＣＤ１１１が３ラインＣＣＤの場合、つなぎ処理はライン間の読取り位置が異なるため、読取り速度に応じてライン毎の遅延量を調整し、３ラインの読取り位置が同じになるように信号タイミングを補正し、ＭＴＦ補正は読取り速度や変倍率によって読取りのＭＴＦが変わるため、その変化を補正し、原稿検知は原稿台ガラス上の原稿を走査することにより原稿サイズを認識する。読取り位置タイミングが補正されたディジタル信号は入力マスキング部５０５によって、ＣＣＤ１１１の分光特性及び高原１０３・１０４及び反射傘１０５・１０６の分光特性を補正する。入力マスキング部５０５の出力は外部Ｉ／Ｆ信号との切替え可能なセレクタ５０６に入力される。セレクタ５０６から出力された信号は色空間圧縮＆下地除去＆ＬＯＧ変換部５０７と下地除去部５１４に入力される。下地除去部５１４に入力された信号は下地除去された後、原稿中の原稿の黒い文字かどうかを判定する黒文字判定部５１５に入力され、原稿から黒文字信号を生成する。また、もう一つのセレクタ５０６の出力が入力された色空間圧縮＆下地除去＆ＬＯＧ変換部５０７では、色空間圧縮は読取った画像信号がプリンタで再現できる範囲に入っているかどうか判断し、入っている場合はそのまま、入っていない場合は画像信号をプリンタで再現できる範囲に入るように補正する。そして、下地除去処理を行い、ＬＯＧ変換部でＲＧＢ信号からＹＭＣ信号に変換する。そして、黒文字判定部５１５で生成された信号とタイミングを補正するため、色空間圧縮＆下地除去＆ＬＯＧ変換部５０７の出力信号は遅延５０８でタイミングを調整される。この二種類の信号はモワレ除去部５０９でモワレが除去され、変倍処理部５１０で主走査方向に変倍処理される。５１１はＵＣＲ＆マスキング＆黒文字反映部で、変倍処理部５１０で処理された信号は、ＹＭＣ信号からはＵＣＲ処理でＹＭＣＫ信号が生成され、マスキング処理部でプリンタの出力にあった信号に補正されると共に、黒文字判定部５１５で生成された判定信号がＹＭＣＫ信号にフィードバックされる。ＵＣＲ＆マスキング＆黒文字反映部５１１で処理された信号はγ補正部５１２で濃度調整された後、フィルタ部５１３でスムージ���グ又はエッジ処理される。以上処理された信号は図３に図示してある４０１の２値変換部で８ビットの多値信号から２値信号に変換される。（変換方法はディザ法・誤差拡散法・誤差拡散の改良したもの等のいずれでもかまわない。）
次に、カラープリンタ部の２の構成を説明する。図１において２１８はプリンタ制御Ｉ／Ｆであり、カラーリーダー部のＣＰＵ３０１からの制御信号の受け口となる。プリンタ部はプリンタ制御Ｉ／Ｆ２１８からの制御信号に基づいて以下で説明する動作を行う。
【００１６】
２０１はレーザースキャナである。画像データ信号に対応するレーザー光をレーザードライバ回路基板６０１により出射し、コリメータレンズ６０２とシリンドリカルレンズ６０３により平行光に変換されたレーザー光が、スキャナモータ６０５により一定速度で回転しているポリゴンミラー６０４に入射される。ポリゴンミラー６０４から反射されたレーザー光は、ポリゴンミラー６０４の前に配置された結像レンズ６０６、反射ミラー６０７を経て、主走査方向に走査して感光ドラム２０２に照射する。感光ドラム２０２上に形成された静電潜像は、感光ドラム２０２の反時計方向への回転により、色現像器２０３や黒現像器２０４のスリーブ位置に達する。色現像器２０３及び黒現像器２０４からは、感光ドラム２０２上の電荷に応じた量のトナーが供給され、感光ドラム２０２上の静電潜像が現像される。なお、黒単色画像を現像する際には黒現像器２０４のみが使用され、フルカラー画像を現像する際には色現像器２０３及び黒現像器２０４の両方が使用される。
【００１７】
感光ドラム２０２上に形成されたトナー像は、感光ドラム２０２の反時計方向への回転により、時計方向に回転する中間転写体２０５に転写される。中間転写体２０５への転写は、黒単色画像の場合には中間転写体２０５の１回転で、フルカラー画像の場合は同４回転で完了する。中間転写体２０５は、特定のシートサイズ、例えばＡ４サイズ以下の画像を形成するときには、図５に示すように、中間転写体２０５に画像６０１及び画像６０２の２面の画像が形成される。
【００１８】
一方、上段カセット２０８または下段カセット２０９からピックアップローラ２１１または２１２によりピックアップされ、給紙ローラ２１３または２１４により搬送されるシート（記録紙）は、搬送ローラ２１５によりレジストローラ２１９まで搬送される。そして、中間転写体２０５への転写が終了するタイミングで、中間転写体２０５と転写ベルト２０６の間にシートが搬送される。その後、シートは、転写ベルト２０６により搬送されるとともに中間転写体２０５に圧着され，中間転写体２０５上のトナー像がシートに転写される。シートに転写されたトナー像は、定着ローラ及び加圧ローラ２０７により加熱及び加圧されシートに定着される。画像が定着されたシートは、フェイスアップ排紙口２１７に排出される。
【００１９】
なお、シートに転写されずに残る中間転写体２０５上の残トナーは、画像形成シーケンス後半の後処理制御でクリーニングされる。後処理制御では、シートに転写終了後の中間転写体２０５上の残トナーは廃トナーとして、図１のクリーニングＲによりもともとのトナー極性の逆極性に帯電され、逆極性の残トナーは感光ドラム２０２に再度転写される。感光ドラムユニット内では、逆極性残トナーがブレード（図示しない）によりドラム表面から掻き取られ、感光ドラムユニット内に一体化されている廃トナーボックスまで搬送される。こうして、中間転写体２０５上の残トナーが完全にクリーニングされて後処理制御は終了する。
【００２０】
尚、上記ディジタル画像形成装置の構成は、あくまでも一例であり、ディジタル画像形成装置の機種に応じて異なったものとなる。
【００２１】
最後に、本実施例の特徴である、目的地案内システム全体の概略構成の一例及び処理について説明する。
【００２２】
まず、システムの概略構成について説明する。
【００２３】
図６は、目的地案内システムの全体の概略構成を図示したものである。ＣＰ（ディジタル複写機）７０１、７０２、７０３、７０４は、点在するコンビニエンスストアや、プリントサービススポット等に設置されているディジタル複写機であり、種々のスペックの機種が公衆回線網７２０に接続されている。公衆回線網には、以下のＬＡＮ（Ｌｏｃａｌ  Ａｒｅａ  Ｎｅｔｗｏｒｋ）が接続されている。ＬＡＮ７２１は、クライアント（送信者）が属する会社等のＬＡＮであり、ＣＰ（ディジタル複写機）７０５やＰＣ（Ｐｅｒｓｏｎａｌ  Ｃｏｍｐｕｔｅｒ）７０６、スキャナ７０７等が接続されている。センター内ＬＡＮ７２２は、プリントサービスセンター内のＬＡＮであり、クライアント（送信者）が発信した画像形成ジョブを一時保管しておくサーバ７０８や、最寄りの画像形成装置を検知する最寄り検知装置７０９、クライアント（受信者）に音声で案内する音声案内装置７１０が接続されている。最寄り検知装置７０９には、ＣＰ７０１、７０２、７０３、７０４等の点在するディジタル複写機の情報が記憶されている。ＰＨＳサービス網７２３は、従来からある一般的なＰＨＳサービスを行うためのサービス網で、ＰＨＳサービス制御局７１１基地局７１２、７１３、ＰＨＳ７１４が接続されている。
【００２４】
ここで、一般のＰＨＳサービスシステムの、位置登録の概略について簡単に説明する。一般のＰＨＳサービスシステムでは、ＰＨＳ加入者がサービスエリア内で電話の着信を受けるために、予め所在する基地局の位置情報をＰＨＳのサービス制御局に記憶させる位置登録が行われている。ここで、位置登録とは具体的に、基地局７１２から基地局ゾーン内に、基地局７１２の位置情報である識別番号（ＣＳＩＤ）が報知されており、ＰＨＳ７１４は基地局７１２から報知されるＣＳＩＤを受信し、ＰＨＳ７１４に既に記憶されている位置情報（ＣＳＩＤ）と異なる場合に、受信したＣＳＩＤを記憶して、更にＰＨＳ７１４から自分の所在している基地局ゾーンの基地局７１２に位置登録信号を送信する。ＰＨＳ７１４からの位置登録信号を受信した基地局７１２は、ＰＨＳサービス網７２３を介してＰＨＳサービス制御局７１１に位置情報を送信し、ＰＨＳサービス制御局で管理され記憶されるようになっている。そして、ＰＨＳ７１４が移動し、所在の基地局ゾーンが基地局７１３へと変化すると、新しい基地局７１３の位置情報で登録が行われるようになっている。
【００２５】
次に、システムの処理について、一例として、ＬＡＮ７２１環境内に所在するクライアント（送信者）が、ＬＡＮ７２１環境外の不特定な場所に所在するクライアント（受信者）に対して、高画質のカタログを送信するケースについて説明する。
【００２６】
まず、クライアント（送信者）が、ＬＡＮ７２１に接続されているＣＰ７０５のカラーリーダー部１の自動原稿給紙装置１０２にオリジナルのカタログをセットし、操作部３０３のタッチパネル付き液晶に表示されているＰＨＳリスト８０１中から、クライアント（受信者）８１１を選択する。ＣＰ７０５は、読取ったカタログ情報と、選択されたクライアント（受信者）８１１が所持しているＰＨＳ情報８２１、８３１とを、公衆回線網７２０を介してプリントサービスセンター内のサーバ７０８に送信する。
【００２７】
プリントサービスセンターでは、クライアント（送信者）からの情報を受信すると、受け取ったＰＨＳ情報８２１、８３１を検索キーとして、ＰＨＳサービス制御局７１１に、クライアント（受信者）８１１が所持するＰＨＳの所在地を問い合わせる。そして、問い合わせの結果得られたＰＨＳの所在地とＣＰリスト９０１を元に、ＰＨＳ情報８２１、８３１に該当するＰＨＳの所持者、クライアント（受信者）８１１の最寄りのＣＰ設置場所を列挙する。例えば、クライアント（受信者）８１１の現在地が“○県◇市△町４丁目”である場合、ＣＰリスト９０１中のＣＰ７０２とＣＰ７０３が列挙される。クライアント（送信者）は、高画質のカタログを送信したので、解像度９３２と解像度９３３とが比較され、ここでは、解像度が高いＣＰ７０２が選択される。出力先としてＣＰ７０２が決定されると、音声案内７１０はＰＨＳ情報８２１、８３１であるＰＨＳを自動的に呼び出し、クライアント（受信者）に、クライアント（送信者）からの出力要求の旨と、出力先であるＣＰ７０２の設置場所を自動音声案内により伝える。
【００２８】
ＣＰ７０２設置場所に到着したクライアント（受信者）は、ＣＰ７０２の認証キーとして、ＰＨＳの番号を入力する。入力された認証キーは、公衆回線網を介してプリントサービスセンターに送信され、ＰＨＳ情報８２１との番号照会を行い、認証キー送信者がクライアント（受信者）であると判断すると、サーバ７０８に記憶されていたカタログ情報をＣＰ７０２に送信する。ＣＰ７０２は、外部インターフェイス１１６を介してカタログ情報を受信し、画像形成出力する。
【００２９】
これにより、クライアント（送信者）は、高画質カタログを、遠隔地に居るクライアント（受信者）に対して、要求通りの高画質で確実に送ることが可能となる。
【００３０】
（その他の実施例）
本実施例では、位置検知の手段として、ＰＨＳサービスシステムの位置登録を適用しているが、この、位置検知手段としては、ＰＨＳサービスシステムに特に限定するものではなく、ＧＰＳ通信衛星からの電波を受信して緯度、経度、高度などの位置情報を検出するＧＰＳ（Ｇｌｏｂａｌ  Ｐｏｓｉｔｉｏｎｉｎｇ  Ｓｙｓｔｅｍ）を適用しても良い。ここで、位置検知に関しては、クライアント（受信者）の現在位置を検知するとしているが、時間差で現在位置を検知する等の方法を用いてクライアント（受信者）の移動量を検出し、クライアント（受信者）を呼び出す時間に居ると思われる移動先位置を予測し、予測した位置の周辺を中心として最寄り位置を検出する制御方法としても良い。
【００３１】
また、本実施例では、クライアント（受信者）が所持する端末装置として、ＰＨＳを適用しているが、この、端末装置としては、ＰＨＳに特に限定するものではなく、携帯用ノートＰＣや、ＰＨＳ以外の携帯電話を適用しても良い。そして、携帯用ノートＰＣのディスプレイ装置等を有効活用するため、画像形成出力する情報の内容を表示する機能を付加しても良い。
【００３２】
更に、本実施例では、クライアント（発信者）からの出力要求をクライアント（受信者）へ通知する手段として、自動音声案内を適用しているが、この、通知手段としては、自動音声案内に特に限定するものではなく、電子メールを適用しても良い。この場合、電子メール中に地図画像情報を添付し、クライアント（受信者）が携帯する端末装置に現在地あるいは、目的地周辺の地図を表示させても良い。地図画像情報に関しては、情報配信サービス等を利用して獲得した地図としても良い。
【００３３】
最後に、本実施例では、画像形成ジョブを出力する画像形成装置として、レーザープリンタを適用しているが、この、画像形成装置としては、レーザープリンタに特に限定するものではなく、インクを用紙に噴射して画像形成するインクジェットプリンタや、熱転写プリンタ等を適用しても良い。
【００３４】
【発明の効果】
以上説明してきたように、本発明では、画像情報の送信者または受信者が不特定の場所に居る場合であっても、画像情報の送受信およびその可視像化を容易かつ迅速に行うことが可能になる。
【図面の簡単な説明】
【図１】画像形成装置の全体構成を示す図
【図２】制御部の構成を示すブロック図
【図３】プリンタ処理部の構成を示すブロック図
【図４】ディジタル画像処理部の構成を示すブロック図
【図５】光書込み光学系を示す斜視図
【図６】目的地案内システムの全体構成を示す図
【図７】ＰＨＳリストを示す図
【図８】ＣＰリストを示す図
【符号の説明】
１００  操作部
１０１  原稿ガラス台（プラテン）
１０２  自動原稿給紙装置（ＡＤＦ）
１０３、１０４  光源
１０５、１０６  反射傘
１０７〜１０９  ミラー
１１０  レンズ
１１１  ＣＣＤ（電荷結合素子）
１１２  ＣＣＤが実装されている基板
１１３  プリンタ処理部（ディジタル画像処理部）
１１４、１１５  キャリッジ
１１６  外部インターフェイス
２０１  レーザースキャナ
２０２  感光ドラム
２０３  色現像器
２０４  黒現像器
２０５  中間転写体
２０６  転写ベルト
２０７  加圧ローラ
２０８  上段カセット
２０９  下段カセット
２１１、２１２  ピックアップローラ
２１３、２１４  給紙ローラ
２１５  搬送ローラ
２１６  手差し給紙ローラ
２１７  フェイスアップ排紙口
２１８  プリンタ制御Ｉ／Ｆ
３０１  ＣＰＵ
３０２  メモリ
３０３  操作部
６０１  レーザードライバ回路基板
６０２  コリメータレンズ
６０３  シリンドリカルレンズ
６０４  ポリゴンミラー
６０５  スキャナモータ
６０６  結像レンズ
６０７  反射ミラー
６０８  ＢＤ回路基板
７０１〜７０５  画像形成装置
７０６  ＰＣ（Ｐｅｒｓｏｎａｌ  Ｃｏｍｐｕｔｅｒ）
７０７  スキャナ装置
７０８  サーバ
７０９  最寄り検知装置
７１０  音声案内装置
７１１  ＰＨＳサービス制御局
７１２、７１３  基地局
７１４  ＰＨＳ
７２０  公衆回線網
７２１  ＬＡＮ（Ｌｏｃａｌ  Ａｒｅａ  Ｎｅｔｗｏｒｋ）
７２２  センター内ＬＡＮ
７２３  ＰＨＳサービス網
８０１  ＰＨＳリスト
８１１〜８１３  クライアント（受信者）名
８２１〜８２３  ＰＨＳ番号
８３１〜８３３  電子メールアドレス
９０１  ＣＰリスト
９２１〜９２４  ＣＰ名
９３１〜９３４  解像度
９６１〜９６４  ＣＰ設置位置住所
【図１】
2004354324.tif 000003
【図２】
2004354324.tif 000004
【図３】
2004354324.tif 000005
【図４】
2004354324.tif 000006
【図５】
2004354324.tif 000007
【図６】
2004354324.tif 000008
【図７】
2004354324.tif 000009
【図８】
2004354324.tif 000010